(57)【特許請求の範囲】
【請求項１】
少なくとも上端に組付口（２）を有する本体ケース（１）と、組付口（２）の側から本体ケース（１）に内装されるかみそりユニット（３）とを備えており、
かみそりユニット（３）は、モータ（１２）、電池（１３）および回路基板（１４）等の電気部品が集約配置してあるシャーシユニット（１０）と、内刃（１５）、外刃（１６）およびモータ（１２）の動力を内刃（１５）に伝える伝動機構（１７）が集約配置してあるヘッドユニット（１１）とを上下に接合固定して構成されており、
シャーシユニット（１０）とヘッドユニット（１１）との接合面の間には、ヘッドユニット（１１）側とシャシーユニット（１０）側との間を封止するキャップ状の防水シール（７１）が挟持固定されており、
かみそりユニット（３）を本体ケース（１）に装填固定した状態において、本体ケース（１）とシャーシユニット（１０）の上端外周との間の隙間が、上記防水シール（７１）の周縁部で封止してある水洗式の電気かみそりであって、
防水シール（７１）の上壁（８０）と対面するヘッドユニット（１１）の底端壁（３０）に、洗浄水を防水シール（７１）の側へ流下案内する流下口（１０６）が開口しており、
防水シール（７１）の周縁部と対向する本体ケース（１）の周壁に、洗浄水を本体ケース（１）の外表面へ排出案内する排出口（１０７）が開口している水洗式の電気かみそり。
【請求項２】
ヘッドユニット（１１）の底部に、内刃駆動用の伝動機構（１７）を収容する室（２８）が設けられており、
この室（２８）の底端壁（３０）に流下口（１０６）が開口されている請求項１記載の水洗式の電気かみそり。
【請求項３】
本体ケース（１）とその外面にスライド可能に装着した操作具（５・６）との間の隙間に面して排出口（１０７）が開口している請求項１又は２記載の水洗式の電気かみそり。
【請求項４】
本体ケース（１）の外周壁に沿ってスライドしてきわ剃り刃ユニット（３６）を出退操作する切換えノブ（５）が設けられており、
上記ノブ（５）で常時覆われる本体ケース（１）の周壁に排出口（１０７）が開口している請求項１、２又は３記載の水洗式の電気かみそり。
【請求項５】
ヘッドユニット（１１）に設けた首振りフレーム（３１）とスライド係脱して、首振りフレーム（３１）の揺動を阻止するロックノブ（５）が、本体ケース（１）の外周壁に設けられており、ロックノブ（５）で常時覆われる本体ケース（１）の周壁に排出口（１０７）が開口している請求項１、２、３又は４記載の水洗式の電気かみそり。
【請求項６】
伝動機構（１７）が、室（２８）とこの室（２８）の一側から立ち上がる側室（２７）とにわたってＬ字状に配置されており、
底端壁（３０）の内底面（３０ａ）が側室（２７）の側から他側端へ向かって下り傾斜しており、
内底面（３０ａ）の傾斜下端寄りに流下口（１０６）が開口している請求項１、２、３、４又は５記載の水洗式の電気かみそり。
【請求項７】
防水シール（７１）を間に挟んでモータ（１２）への通電をオン・オフする安全スイッチ（５７）と、外刃ホルダー（４７）の着脱に連動して安全スイッチ（５７）をオン・オフ操作する操作機構とが設けられており、
操作機構は外刃ホルダー（４７）の着脱に連動して上下スライドする連動ピース（６６）と、連動ピース（６６）の動作を防水シール（７１）のシール壁を介して安全スイッチ（５７）に伝える中継ピース（６５）と、安全スイッチ（５７）がオフ側へ切り換わる向きに中継ピース（６５）を移動付勢するばね（６７）とを含み、
外刃ホルダー（４７）をヘッドユニット（１１）から取り外した状態において、安全スイッチ（５７）がオフ状態へ切り換わって、モータ（１２）の起動を阻止するように構成してある請求項１、２、３、４、５又は６記載の水洗式の電気かみそり。
【発明の詳細な説明】
【０００１】
【発明の属する技術分野】
本発明は、水洗式の電気かみそりに関し、その排水構造を改良したものである。
【０００２】
【従来の技術】
水洗式の電気かみそりでは、電気系部品が収容された区画内への洗浄水の浸入をを防ぐために、モータ、電池、あるいは回路基板等の電気部品が収容される区画と、内外刃を備え、かつ切断された毛屑が溜まる区画（以下、単に毛屑室という）との間に防水のためのシールゴムを設ける必要がある。この種の防水構造を施した電気かみそりについては従来から多数提案されており、例えば特公昭６２−５８７５５号公報においては、電気部品の収容区画への水の浸入を防ぐために、ケースと刃物取付台との間にシールゴムを介装し、さらに刃物取付台と押え板との間に別のシールゴムを介装している。後者のシールゴムは往復駆動される振動子と刃物取付台との間の隙間を直接封止しており、このシールゴムの下面側に水が浸入しないような構造とし、この内部において、振動子をモータの出力軸に固定した偏心カムで往復駆動している。
【０００３】
【発明が解決しようとする課題】
上記従来の水洗式の電気かみそりは、内刃や毛屑室等に付着した毛屑を水で簡単に洗い流せるので、かみそりヘッドの手入れの手間を著しく軽減でき、清掃時に毛屑が周辺に飛び散らず、衛生的でもある。しかし、先のシールゴムは、振動子と刃物取付台間に直接取り付けられているものであるため、かみそり使用時に高速で往復振動する振動子とシールゴムとの密着部周辺が、長期の使用に伴い劣化しやすく、破れやひび割れ等が生じるおそれがあり、その場合十分な水密性を維持できなくなるという問題がある。
また近年、特開平９−３８３５４号公報に示すような、シリンダー形状の内刃を軸まわりに回転させてひげを切断するロータリ式の電気かみそりが提案されている。そこでは、ロータリ内刃とモータとの間を、例えば複数のギアやベルト等からなる駆動伝達手段を介して連結するが、この種構造の電気かみそりを水洗式にする場合、いかなる防水構造をとれば効果的な防水あるいは排水が図れるかも問題となっている。
【０００４】
本発明の目的は、電気かみそりの防水構造において、内外刃や毛屑室およびモータの駆動を内刃に伝えるための往復式の振動子やギヤ等の駆動伝達手段を配したヘッド部分には特別な防水構造を施さず、洗浄水の浸入を許す構造とし、このヘッド部分と電気系部品を収容したユニットおよび本体ケース間で防水を図るようにした構造を前提として、その上で、ヘッド部分に入り込んだ洗浄水を確実にしかも速やかに排出でき、従って水洗い後のヘッド部分の内部を清潔な状態に維持できる水洗式の電気かみそりを提供することにある。
本発明の他の目的は、電器部品が収容される区画への洗浄水の浸入を確実に防止できるうえ、モータから回転内刃に至る動力伝動機構等の狭隘な個所に浸入した洗浄水を速やかにしかも確実に排出できるようにすることにある。
【０００５】
【課題を解決するための手段】
本発明の電気かみそりは、図５に示すように少なくとも上端に組付口２を有する本体ケース１と、組付口２の側から本体ケース１に内装されるかみそりユニット３とを備えている。
【０００６】
かみそりユニット３は、図６に示すようにモータ１２、電池１３および回路基板１４等の電気部品が集約配置してあるシャーシユニット１０と、内刃１５、外刃１６およびモータ１２の動力を内刃１５に伝える伝動機構１７等の機械部品が集約配置してあるヘッドユニット１１とを上下に接合固定して構成する。シャーシユニット１０とヘッドユニット１１との接合面の間には、ヘッドユニット１１側とシャシーユニット１０側との間を封止するキャップ状の防水シール７１が挟持固定されていて、該防水シール７１でシャシーユニット１０の内部への浸水を阻止している。
【０００７】
さらに、かみそりユニット３を本体ケース１に装填固定した状態において、本体ケース１とシャーシユニット１０の上端外周との間の隙間は、防水シール７１の周縁部で封止して、本体ケース１の内部への浸水を阻止している。防水シール７１の上壁８０と対面するヘッドユニット１１の底端壁３０には、洗浄水を防水シール７１の側へ流下案内するための流下口１０６が開口している。さらに、防水シール７１の周縁部と対向する本体ケース１の周壁には、洗浄水を本体ケース１の外表面へ排出案内する排出口１０７が開口している。
【０００８】
具体的には、ヘッドユニット１１の底部に、内刃駆動用の伝動機構１７を収容する室２８を設けて、この室２８の底端壁３０に流下口１０６を開口する。
【０００９】
本体ケース１とその外面にスライド可能に装着した操作具５・６との間の隙間に面して排出口１０７を開口する。
【００１０】
本体ケース１の外周壁に沿ってスライドしてきわ剃り刃ユニット３６を出退操作する切換えノブ５を設け、上記ノブ５で常時覆われる本体ケース１の周壁に排出口１０７を開口する。
【００１１】
ヘッドユニット１１に設けた首振りフレーム３１とスライド係脱して、首振りフレーム３１の揺動を阻止するロックノブ５を、本体ケース１の外周壁に設ける。このロックノブ５が常時覆われる本体ケース１の周壁に排出口１０７を開口する。
【００１２】
伝動機構１７は、室２８とこの室２８の一側から立ち上がる側室２７とにわたってＬ字状に配置する。底端壁３０の内底面３０ａは側室２７の側から他側端へ向かって下り傾斜させ、内底面３０ａの傾斜下端寄りに流下口１０６を開口する。
【００１３】
防水シール７１を間に挟んでモータ１２への通電をオン・オフする安全スイッチ５７と、外刃ホルダー４７の着脱に連動して安全スイッチ５７をオン・オフ操作する操作機構とを設ける。操作機構は外刃ホルダー４７の着脱に連動して上下スライドする連動ピース６６と、連動ピース６６の動作を防水シール７１のシール壁を介して安全スイッチ５７に伝える中継ピース６５と、安全スイッチ５７がオフ側へ切り換わる向きに中継ピース６５を移動付勢するばね６７とを含む。以て、外刃ホルダー４７をヘッドユニット１１から取り外した状態において、安全スイッチ５７がオフ状態へ切り換わって、モータ１２の起動を阻止するように構成する。
【００１４】
【作用】
ヘッドユニット１１とシャシーユニット１０の接合面間に防水シール７１を配置して、シャシーユニット１０および本体ケース１を水密状に封止するので、洗浄水の入り込む部分をヘッドユニット１１の側に限ることができる。電気かみそりを保持した状態で、流水を掛けながら洗浄を行うことにより、内刃や毛屑室に溜まった毛屑等を簡単に洗い流すことができる。洗浄後ヘッド部分の内刃および毛屑室に残留した水は、外刃を外しておくことで自然乾燥するが、ヘッド部分の内部に入り込んだ洗浄水は、本体を立てかけて置くことで自然流下作用によってヘッドユニット１１の下底部へ流れ落ちる。そのため、ヘッドユニット１１の底端壁３０に流水口１０６を開口しておけば、ヘッド部分に入り込んだ洗浄水の全てが、流下口１０６からヘッドユニット１１の外へ流れ出る。また、流下口１０６から流れ出た洗浄水は、防水シール７１の上壁８０に沿ってシール周縁へと流動し、シール周縁と対向する本体ケース１の周壁に開口した排出口１０７からケース外へ排出される。従って、ヘッド部分に入り込んだ洗浄水が、ヘッドユニット１１の内部に残留するのを効果的に防止できる。
【００１５】
内刃駆動用の伝動機構１７に毛屑等を噛み込むと、動作不良を生じ、あるいは振動や異音を生じる。こうした事態を避けるために、ヘッドユニット１１の底部に室２８を設け、この室２８の内部に先の伝動機構１７が収容されている。しかし、室２８そのものは水密構造になっていないので、洗浄水が室２８に浸入するのを避けられない。このように、閉鎖された区画に入り込んだ水は排水しにくいが、室２８の底端壁３０に流下口１０６を開口しているので、室２８内に入り込んだ水はいずれ流下口１０６を介してヘッドユニット１１の外へ流下排出される。排出口１０７を本体ケース１とその外面に設けた操作具５・６との間の隙間に面して設けるのは、排出口１０７から流れ出す洗浄水を操作具５・６の内面に沿って集約的に流下させて、排水経路に付着して残留するおそれのある毛屑等を確実に洗い流すためである。
【００１６】
上記の操作具として、きわ剃り刃ユニット３６用の切換えノブ５と、首振りロック用のロックノブ６とを備えている電気かみそりにおいて、両ノブ５・６で常時覆われる本体ケース１の周壁に排出口１０７が開口していると、洗浄時はもちろんのこと、通常使用時に排出口１０７を各ノブ５・６で覆い隠すことができるので、電気かみそりの外観上の体裁を良好な状態に保持できる。また、本体ケース１の背壁と側壁とにそれぞれ排出口１０７が開口しているので、流下口１０６から流れ出た洗浄水を効果的に排水できるうえ、洗浄後にいずれか一方の排出口１０７が下向きになる状態で、電気かみそりを放置し乾燥することにより、ヘッドユニット１１から流れ出た洗浄水を確実に排出できる。
【００１７】
底端壁３０の内底面３０ａを一側から他側へ向って下り傾斜させ、その傾斜下端寄りに流下口１０６を開口した電気かみそりによれば、本体を立てかけた状態で、伝動機構１７を収容する室２８に入り込んだ洗浄水を流下口１０６から確実に流下排出して、室２８および側室２７内に洗浄水が滞留するのを確実に防止できる。
【００１８】
水洗い洗浄時には外刃ホルダー４７を取り外すことにより、内刃１５や毛屑室Ｒ等に付着した毛屑や皮脂を確実に洗い流せる。しかし、内刃１５が剥き出しになった状態でモータ１２を起動すると、内刃１５が駆動されて危険である。このように危険な状態で水洗い洗浄が行われるのを確実に避けるために、シャシーユニット１０の側に安全スイッチ５７を設けている。この安全スイッチ５７は、外刃ホルダー４７が取り外された状態では、オフ状態に切り換わってモータ１２への通電を阻止する。特に、防水されたシャーシユニット１０側に配された安全スイッチ５７は、防水シール７１を間に挟んで、外刃ホルダー４７の着脱に連動して直接オン・オフ操作する操作機構を備えているので、防水構造でありながら確実に切り換え操作が行われる構造となっている。
【００１９】
【実施例】
図１ないし図２３は本発明に係るロータリ式の電気かみそりに適用した実施例を示す。図３において電気かみそりは、上面および下面が開口する筒状の本体ケース１を有し、上側に開口する組付口２の側からかみそりユニット３をケース内へ組み、本体ケース１の外面の前後に、モータ起動用のスイッチノブ４と、きわ剃り刃を起伏操作する切換えノブ（操作具）５とを配置し、本体ケース１の一側に首振りロック用のロックノブ（操作具）６などを設けてなる。本体ケース１の下側の組付口７には、充電用のコネクターを備えた底ケース８が組付けられる。
【００２０】
（かみそりユニット）
図５および図６において、かみそりユニット３は、シャーシユニット１０とヘッドユニット１１とに大別される。シャーシユニット１０の側にはモータ１２、電池（二次電池）１３および回路基板１４等の電気部品を集約配置し、ヘッドユニット１１の側には回転内刃（内刃）１５、外刃１６およびモータ１２の動力を回転内刃１５に伝える伝動機構１７（図７参照）と、きわ剃り刃系の伝動機構１８と、センター刃系の伝動機構１９とを集約配置する。
【００２１】
（シャーシユニット）
図６および図９において、シャーシユニット１０は、下半側に電池１３用の装填凹部２１を有し、上側に上面が開口する筒状のモータ収容部２２を備えた主フレーム２３と、モータ１２が装填保持されるモータケース２４とで構成する。モータケース２４はモータ収容部２２で上下遊動可能に支持したうえで、主フレーム２３とモータケース２４との間に介装した圧縮コイル形のばね２５で浮動支持する。さらに、モータケース２４に一体に設けた４個の係合爪２６を主フレーム２３側の係合部に係合することにより、モータケース２４の上方への浮動限界を規定して、その抜け出しを防止する。このように、モータケース２４を浮動支持するのは、使用時のヘッドユニット１１の上下動を許して、肌当たりを柔らかにし、さらに肌面への追従を確実なものとするためである。
【００２２】
（ヘッドユニット）
ヘッドユニット１１は、底部にギヤ室（室）２８を有する逆門形のヘッドフレーム２９と、ギヤ室２８の底部開口を塞ぐ底端壁３０と、ヘッドフレーム２９で前後揺動可能に支持される首振りフレーム３１などを基体にして、これらに内刃１５、外刃１６および前述の各伝動機構１７〜１９等を組む。
【００２３】
（内刃伝動系）
図７において回転内刃１５用の伝動機構１７は、ギヤ室２８に収容されてモータ１２の動力を減速するギヤ群Ｇ１〜Ｇ３と、ヘッドフレーム２９の一側に設けた側室２７内に配置されるギヤ群Ｇ４〜Ｇ６、および首振りフレーム３１の側に配置されて、後者ギヤ群の終段ギヤＧ６の回転力を一対の回転内刃１５に伝えるギヤ群Ｇ７〜Ｇ９などで構成する。ギヤ室２８内のギヤ群Ｇ１〜Ｇ３のうち、第１段目のギヤＧ１は内歯ギヤを備えており、この内歯ギヤにモータ１２の出力軸１２ａに固定した原動ギヤＧ２０を噛合させる。原動ギヤＧ２０と内歯ギヤとによって、モータ１２の回転数（８０００〜９０００ｒｐｍ）は一挙に駆動時における回転内刃１５の回転数とほぼ同じ回転数である２５００〜３０００ｒｐｍに減速される。従って、複数の減速ギヤによって段階的にかつ徐々に減速される従来のロータリ式電気かみそりに比べて、使用時の振動を減少し、静音化できる。手ぶれも生じにくい。なお、ギヤ室２８内のギヤ群の終段ギヤＧ３と、次段のギヤＧ４とは、後者ギヤＧ４の側面に突設したフェースギヤを介して、回転方向を直交状に変換する。側室２７はヘッドフレーム２９の側壁とこれに圧嵌係合されるカバー２７ａとで区画してある（図１０参照）。
【００２４】
（きわ剃り伝動系）
先のギヤＧ１は、きわ剃り刃の伝動機構１８とセンター刃系の伝動機構１９の駆動ギヤを兼ねており、その上部に前者の伝動機構１８用の偏心カム３３と、後者の伝動機構１９用の偏心ピン３４とが一体に設けてある（図７参照）。図１２に示すように偏心カム３３は、ギヤ室２８を構成するヘッドフレーム２９の上壁と首振りフレーム３１との間に配置した振動子３５（図２４参照）を往復駆動して、バリカン式のきわ剃り刃ユニット３６を駆動する。この振動子３５は一端が軸支され、他端に二又状の連続部３７を有する。きわ剃り刃ユニット３６は切換えノブ５の上部に装着されていて、切換えノブ５を下方の待機位置から上方にスライド操作すると、想像線に示すようにユニット３６の全体が軸３８を中心にして跳ね上がり揺動し、その可動刃に固定した受動片９９が連結部３７と係合して、振動子３５の往復動作を受け継ぐように構成してある。
【００２５】
（首振り機構およびセンター刃駆動系）
図６において首振りフレーム３１は回転内刃１５の支持フレームとなる逆門形の上フレーム４１と、上フレーム４１に下面側から被さる状態で圧嵌係合される下フレーム４２と、下フレーム４２の上面開口を塞ぐ蓋体４６（図１１参照）とからなり、上フレーム４１の両側壁の上部前後に、軸受を介して一対の回転内刃１５の各両端軸が回転自在に軸支してあり、さらに、両回転内刃１５の一端側軸には上記ギヤＧ８・Ｇ９が固定されている。下フレーム４２はヘッドフレーム２９の上端に配置した軸４３を中心にして前後揺動でき、これにより首振りフレーム３１の首振り動作が可能になっている。図８に示すように、首振りフレーム３１は、ヘッドフレーム２９に設けた捻りコイル形のばね３２で、中央の待機位置へ向って復帰付勢してある。図１１に示すように、下フレーム４２と蓋体４６との間の室の内部に、センター刃４８（図１２参照）を左右に往復操作する第２の振動子４４を設け、これを偏心ピン３４で往復駆動できるようにしている。なお、下フレーム４２の下面には開口４２ａが形成されており、該開口４２ａを介して振動子４４と偏心ピン３４とが対応しており、また、偏心ピン３４と係合する受動溝４５は、首振りフレーム３１の前後揺動範囲に対応して前後に長い弧状溝で形成してある。
【００２６】
（外刃ホルダー）
図１２において首振りフレーム３１に外嵌装着される外刃ホルダー４７に、各回転内刃１５用の一対の網目状の外刃１６をアーチ状に装着し、さらに両外刃１６・１６の間にセンター刃４８を設ける。センター刃４８は、それぞれ櫛刃状に形成された外側の固定刃４９と、内側を往復スライドする可動刃５０とを一個のユニット部品としてまとめて構成したものである。外刃ホルダー４７を首振りフレーム３１に上面側から圧嵌して装着した状態において、可動刃５０の下部に設けた連結片５１が、先の振動子４４の上面に突設した駆動軸５２と係合して、振動子４４の往復動作を受け継ぐようになっている。従って、駆動時における回転内刃１５の回転数とセンター刃４８の往復振動数とは、ほぼ同等の２５００〜３０００回／分で駆動されることになる。駆動軸５２と蓋体４６との間の隙間は、毛屑の侵入を防ぐゴムパッキン５３でシールしており、下フレーム４２の蓋体４６間の室内には毛屑が入り難い構造としてある。回転内刃１５およびセンター刃４８で切断された毛屑は、外刃ホルダー４７と首振りフレーム３１とで区画される毛屑室Ｒの特に、上フレーム４１の上面上に溜まる。
【００２７】
（首振りロック）
図５および図１３に示すように、首振りフレーム３１の首振り動作を規制するために、本体ケース１の側面上部にはロックノブ６を備えている。ロックノブ６の内面上部には、ロック棒５４が突設してある。このロック棒５４の上端はヘッドフレーム２９を上下に貫通して、首振りフレーム３１の下面に臨んでいる。従って、ロックノブ６を下方の待機位置から上方にスライド操作すると、ロック棒５４が下フレーム４２の側壁下部に設けた係合溝５８に接当係合して、首振りフレーム３１の前後揺動を規制する。
【００２８】
（外刃ホルダー用のロックおよび安全スイッチ）
外刃ホルダー４７を首振りフレーム３１から取り外すと、２個の回転内刃１５が剥き出しになり、この状態でスイッチノブ４をオン操作すると、回転内刃１５が駆動されて危険である。また、外刃ホルダー４７が簡単に外れ、所定の状態から浮き上がった状態となると、外刃と回転内刃との摺接部分が離間してしまい切れ味が著しく低下してしまう。こうした事態を避けるために、図１５に示すように、首振りフレーム３１の内部に外刃ホルダー４７を取り外し不能にロック保持するロックピース５５を配置している。また、図１４に示すように後述する防水シール７１の上壁８０を間に挟んで、モータ１２への通電をオン・オフする安全スイッチ５７と、外刃ホルダー４７の着脱操作に連動して安全スイッチ５７をオン・オフ操作する操作機構が設けられている。なお、先のロックピース５５は、毛屑掃除や洗浄等のメンテナンスのためヘッドフレーム２９のサイドカバーに装着したロック解除用のボタン５６の押圧で簡単にロック解除できるよう構成してある。
【００２９】
（ロックピース）
図１１および図１５において、ロックピース５５は、中途部に薄肉ヒンジ部５９を備えた弾性枠６０と、弾性枠６０の両側端に設けた一対の爪腕６１とを備えており、爪腕６１の外側面の前後に合計４個のロック爪６２を突設してなる。両爪腕６１はばね１２７により常時突出方向に付勢されている。先のボタン５６をばね６４の付勢力に抗して押し込み操作すると、その操作ピン６３が首振りフレーム３１の側壁に通設したピン穴側へ進入し、一方の爪腕６１を受動ピン６０ｂを介して押し込み操作する。これにより、押し込み操作された側の２個のロック爪６２と外刃ホルダー４７との係合が解除される。このとき、弾性枠６０の山形の側端部６０ａが首振りフレーム３１の内部壁面に受け止められているので、弾性枠６０は薄肉ヒンジ部５９の部分において屈曲し、その結果、他方の爪腕６１がボタン５６の押し込み方向とは逆向きに引き寄せられ、その側面に設けたロック爪６２と外刃ホルダー４７との係合が解除される。
【００３０】
（安全スイッチ）
モータ駆動回路中の電池１３とモータ１２との間には、オン・オフ制御用の電源スイッチとは別に図１４に示す安全スイッチ５７が直列に配されている。安全スイッチ５７を切換え操作する操作機構は、ギヤ室２８内に組付けた動作中継用の中継ピース６５と、首振りフレーム３１の側面に上下スライド自在に装着した連動ピース６６と、中継ピース６５を上向きに押し上げ付勢するばね６７とからなる。ばね６７で上向きに押し上げ付勢された中継ピース６５は、その上端が連動ピース６６の下面に常に接当している。符号６８は底端壁３０の底壁を貫通して、防水シール７１を間にして安全スイッチ５７に対向する切換片である。従って、連動ピース６６は、外刃ホルダー４７装着時はその側壁下端で受け止められて押し下げられ、中継ピース６５をばね６７の付勢に抗して押し下げて、そのため上記切換片６８が下動して安全スイッチ５７を強制的にオン位置に押し下げ操作している。また、外刃ホルダー４７を首振りフレーム３１から取り外すと、図１４に示すように連動ピース６６および中継ピース６５はそれぞれ上方スライドし、その結果、安全スイッチ５７がオン状態からオフ状態へ切り換わる。
【００３１】
（防水シール）
上記のように構成したヘッドユニット１１を水洗い可能とするために、図１６に示すようにモータ１２の出力軸１２ａのまわりと底端壁３０との間にモータ軸防水シール７０を設けて、洗浄水がモータ１２およびモータケース２４の側へ浸入するのを防いでいる。さらに、底端壁３０の下面（接合面）とシャーシユニット１０の上部周縁との間に、防水シール７１を設けて洗浄水が主フレーム２３、モータケース２４および本体ケース１の内部へ浸入するのを防いでいる。
【００３２】
（モータ軸防水シール）
図１６においてモータ軸防水シール７０は、ゴムまたは合成ゴム製の円形キャップ状の成形パッキンからなり、モータ１２のボス部に外嵌する周側壁７２と、断面波形の上壁７３とを有する。上壁７３の中央にシール孔７４を通設し、シール孔７４の内面に出力軸１２ａと密着するリップを設ける。底端壁３０の下面には、モータ１２と協同してモータ軸防水シール７０を挟持保持する装填凹部７５が設けてある。
【００３３】
（防水シール）
図１７において防水シール７１は、ゴムまたは合成ゴム製の成形パッキンからなり、モータケース２４と底端壁３０との間の隙間を封止する上側シール部７７と、本体ケース１と主フレーム２３との間の隙間を封止する周縁シール部７８と、両シール部７７・７８を接続する膜壁７９とでキャップ状に形成してある（図９参照）。防水シール７１を適正に位置決めし、あるいはシャーシユニット１１を本体ケース１に差し込み装填するときの周縁シール部７８のめくれやずれを防ぐとともに、本体ケース１の内周面との間で周縁シール部７８を挟着する面を形成するために、主フレーム２３の上端に無端環状の外シール枠８１を設け、その周側面に沿って係合溝８２を周回状に凹み形成している。さらに、モータケース２４の上端に無端環状の内シール枠８３を設け、その内周面に沿って係合段部８４を周回状に形成していている。周縁シール部７８の下部内縁には、係合溝８２に密着状態で内嵌するリブ８５が設けてある。上側シール部７７の下面には係合段部８４で受け止められて、内シール枠８４に密着状態で外嵌する溝８６が設けてある。
【００３４】
上記のようにモータ軸防水シール７０と防水シール７１をシャーシユニット１０の側に組んだ後、底端壁３０をモータケース２４に組み、ビス６６で締結固定することにより、両シール７０・７１が底端壁３０とモータ１２およびモータケース２４との間に挟持固定される。この時、防水シール７１の上側シール部７７の開口部周縁７７ａを全周にわたって隆起状に形成することで、挟着固定時に図１７に示すように押し潰し変形され、底端壁３０との密着状態がより強化される。なお、底端壁３０とヘッドフレーム２９は、ヘッドフレーム２９の上面側からねじ込まれるビス８８によって締結固定してある（図２４参照）。モータケース２４は主フレーム２３に対して上下遊動できるが、この上下遊動は、膜壁７９が上下方向に屈曲変形することによって吸収される。
【００３５】
（防水シールと本体ケースとの関係）
シャーシユニット１０を本体ケース１に上方から差し込み装填し、防水シール７１の周縁シール部７８をケース内面に密着させることにより、両者１０・１の間の隙間を封止する。この封止作用を確実にし、同時に組み込みを容易化するために、本体ケース１の組付口２の内面を下すぼまりテーパー状に形成し、その下端に下り傾斜するシール面壁９０を設けてある。このように、下り傾斜状のシール面壁９０を設けると、図１８および図１９に示すように、底ケース８の下面側からビス９１を、主フレーム２３の下端のねじボス１２１にねじ込むことにより、主フレーム２３と本体ケース１とが分離不能に固定されるとともに、本体ケース１のシール面壁９０に対する周縁シール部７８の圧着力がビス９１の締付力に比例して、強化されて密着性が向上する。洗浄水が底ケース８と本体ケース１との接合面からケース内部へ浸入するのを防ぐために、両者１・８の接合面間に成形パッキンからなる防水シール９２を挟持固定する。また、先のねじボス１２１と底ケース８との接合面の間にもシールリング９３を挟持固定する。
【００３６】
（スイッチノブおよびガス抜き口）
図５においてスイッチノブ４は、ケース外面に固定した化粧枠９４上で上下スライド可能に支持されている。スイッチノブ４の板面中央にはロックボタン９５を設けてあり、このボタン９５を押し込んだ状態でのみ、スイッチノブ４を上方スライドしてオン操作できる。スイッチノブ４のスライド動作は、化粧枠９４の内面に設けた連動ピース９６と、本体ケース１の内面に設けた切換片９７とを介してスイッチ片９８に伝わり、このスイッチ片９８の上下スライドで接点を切り換えて、モータ１２への通電をオン・オフする。本体ケース１の周壁を内外に貫通する連動ピース９６の軸部９６ａにも、防水用のシールリング１２０が装着してある。ケース本体１の背壁には、図２０に示すように、気温差による本体ケース内の気圧調節および電池１３への過充電等の異常充電時生じるおそれのある水素ガスを放出することを兼用するガス抜き口１００が開口してある。このガス抜き口１００は、ガスの通過のみを許し、水分の通過を許さない分離シート１０１で塞いであり、その外面周縁とパッキン押え１０２との間がシールリング１０３で封止されている。パッキン押え１０２は本体ケース１に溶着固定されている。
【００３７】
（水洗い方式）
ヘッドユニット１１の回転内刃１５およびその周辺を洗浄する場合には、外刃ホルダー４７を取り外して安全スイッチ５７をオフ状態にして、流水を回転内刃１５に流し掛ける。あるいは、外刃ホルダー４７に換えて、図２２に示す回転自在に支持された洗浄ブラシ１０４を内蔵する洗浄ケース１０５を首振りフレーム３１に装着して、流水を流し掛けながら洗浄を行う。この場合には、安全スイッチ５７がオン状態に切り換わるので、スイッチノブ４をオン操作して、回転内刃１５を回転駆動しながら洗浄を行える。洗浄ブラシ１０４は一部スリップしながら回転内刃１５と連れ回り回転するので、刃底部分に付着した毛屑を確実に除去できる。
【００３８】
（排水構造）
洗浄時には、ヘッドユニット１１の各部に洗浄水が入り込む。内刃や毛屑室上に付着した水は外刃ホルダー４７を外したまま本体を振って水切りするか、放置しておくことで自然乾燥する。また、首振りフレーム３１内に浸入した水は下フレーム４２の下面に形成した開口１２２から流出してヘッドフレーム２９上壁上に溜まるが、水切りするか本体を寝かすかすることで簡単に排水できる。側室２７やギヤ室２８に入り込んだ洗浄水を効果的に排出するために、底端壁３０の底壁の一側寄り、詳しくは中継ピース６５を配置した側の面壁前後に流下口１０６（図１および図９参照）が開口している。さらに底端壁３０の内底面３０ａは、流下口１０６の側から側室２７の側へ向かって上り傾斜させて、側室２７およびギヤ室２８内に浸入した洗浄水の全てを流下口１０６から確実に排出できるようにしている。流下口１０６から流れ出た排水は、防水シール７１の上壁８０を伝いながらシール周縁部へ流動し、切換えノブ５およびロックノブ６を配置した側の本体ケース１の周壁に通設した排出口１０７を介してケース外へ案内され、切換えノブ５およびロックノブ６と本体ケース１との間の隙間を伝ってケース下方へ流れ落ちる。このとき、防水シール７１の平坦な上壁８０を流下口１０６と排出口１０７とを繋ぐ排水経路に利用するので、流下口１０６から流れ落ちた洗浄水を確実に排出口１０７へ流動案内でき、ヘッドユニット１１とシャシーユニット１０との間に排水が滞留するのを防止できる。
【００３９】
図１および図２に示すように、切換えノブ５およびロックノブ６の外表面は、それぞれ本体ケース１の外表面と滑らかに連続するが、各ノブ５・６の内面と本体ケース１との間には隙間が設けてある。従って、排出口１０７から流れ出た洗浄水は、先の隙間を排水通路にしてケース下方へ流れ落ち、各ノブ５・６の下端側に設けた排水穴１２３・１２４から排出される。各排出口１０７は、両ノブ５・６の切り換え状態の如何に拘らず、両ノブ５・６で常時覆われるケース周壁に開口してある。従って、通常使用時に排出口１０７がケース外表面に露出するのを防止して、電気かみそりの体裁を向上できる。
【００４０】
（充電部構造）
電池１３に対する充電は、図２３に示すように充電アダプター１０９と充電スタンド１１０とのいずれによっても行える。そのために、図２３に示すように底ケース８には２通りの接続端子１１２・１１３を一対ずつ設ける。一方の接続端子１１２は底ケース８の成形時にインサート固定されて、その下端が底ケース８の下面に露出しているとともに本体ケース１内で電池１３の充電回路と接続されている。接続端子１１２は、充電スタンド１１０の載置面上に配置した一対の接続片１２５に対応して設けてあって、後述する接続端子１１３に比べて端子間のピッチが大きい。他方の接続端子１１３は、図５に示すように回路基板１４の下端に固定されていて、底ケース８の底面に凹み形成した連結凹部１１４に突出する状態で底ケース８に挿嵌する。この接続端子１１３と底ケース８の内面壁との間には、防水用のシールリング１１８を挟持しておく（図１８参照）。充電アダプター１０９から導出したコネクター１１６を連結凹部１１４に差し込み係合することにより、充電アダプター１０９で変換した直流電流は、接続端子１１３を介して電池１３に印加できる。充電スタンド１１０を使用する際には、コネクタ１１６を充電スタンド１１０の連結凹部１１７に差し込み係合することで、連結凹部１１７と電気的に接続している上記接続片１２５・１２５に充電アダプタ１０９からの電流が印加され、充電スタンド１１０の載置面上に立てた電気かみそりの上記接続端子１１２・１１２と接続片１２５・１２５との接触により充電操作が行われる。
【００４１】
上記のように電池１３への充電を、充電アダプター１０９と充電スタンド１１０のいずれででも行えるようにすると、例えば旅行時に電気かみそりを携行する際には、充電アダプター１０９のみを携行すればよい。また、家庭等で使用する場合には、電気かみそりを充電スタンド１１０に差し込み装填するだけで、手軽に充電を行える。充電スタンド１１０に装填した電気かみそりは、切換えノブ５の側（きわ剃り刃側）へ向かって後傾する状態で起立保持されるようスタンド載置面を形成しておけば、充電を行う直前にヘッド部の水洗いを行っていたとしても、流下口１０６から流れ出た排水は切換えノブ５の側に設けた排出口１０７から積極的に流下するようになる。底ケース８を受け止める載置面となるスタンド内底面には、本体ケース１を伝って流下した排水をスタンド下方へ流下案内する開口が設けてある。従って、先の排水が載置面上に溜まって接続端子１１２を短絡させることはない。
【００４２】
（別の実施形態）
本実施例においては肌面への刃部の追従を確実なものとするために、本体ケース１やシャーシユニット１０に対してヘッドユニット１１を上下動可能に構成したが、これに限らず、固定するタイプでもよい。この場合はモータ軸１２ａと防水シール７１との相対的な位置変化は無いために、モータ軸防水シール７０を防水シール７１の上側シール部内に一体的に形成することも可能である。
また、ロータリ式の電気かみそりとしては、１個の回転内刃１５を備えているもの、１個の回転内刃１５と、上記の実施例におけるセンター刃４８を隣接配置したもの等の種々の実施形態を採ることができるとともに、もちろん首振り機能を備えない形態のものであってもよい。本発明は内刃１５が往復駆動される電気かみそりにも適用できる。その場合には、モータ１２の出力軸１２ａより上方に、回転運動を往復運動に変換する機構を配置する。上記の実施例における内刃１５用の伝動機構１７は、ベルトやチェーン等のギヤ群以外の伝動要素で構成することができる。
【００４３】
【発明の効果】
本発明では、電気部品が集約配置されるシャーシユニット１０と、内刃１５への伝動機構１７などの機械部品が集約配置されるヘッドユニット１１との接合面の間に防水シール７１を配置して、水洗い洗浄時に浸水される個所をヘッドユニット１１の側のみに限るようにした。そのうえで、ヘッドユニット１１の下端に位置する底端壁３０に流下口１０６を設けて、ヘッドユニット１１の内部に入り込んだ洗浄水は、流下口１０６からヘッドユニット１１の外部へ排出できるようにした。さらに流下口１０６から流れ落ちた排水は、防水シール７１の上壁８０を介してシール周縁部へと流動させ、シール用周縁部に臨んで本体ケース１に開口した排出口１０７からケース外へ排出できるようにした。従って、水洗い時に洗浄水の一部がヘッドユニット１１の内部に入り込んだとしても、先の流下口１０６と排出口１０７とを介して確実に排出でき、水洗いした電気かみそりを滞留水のない清潔な状態に維持できる。
【００４４】
ヘッドユニット１１の底部の室２８内に、内刃駆動用の伝動機構１７を収容する電気かみそりにおいては、室２８の底端壁３０に流下口１０６を開口するので、室２８内に洗浄水が入り込んだとしても、この洗浄水を確実に流下排出できる。
【００４５】
本体ケース１の外面に設けた、切換えノブ５やロックノブ６等の操作具と、本体ケース１の外面との間の隙間に面して排出口１０７を開口した電気かみそりによれば、排出口１０７から流れ出た洗浄水を両ノブ５・６の内面に沿って集約的に流下できるので、排水経路に付着し残留するおそれのある毛屑等を確実に洗い流すことができる。
【００４６】
また、上記の両ノブ５・６で常時覆われる本体ケース１の周壁に排出口１０７を開口すると、洗浄時はもちろんのこと、通常使用時に排出口１０７を各ノブ５・６で覆い隠すことができるので、電気かみそりの外観上の体裁を良好な状態に保持できる。さらに、本体ケース１の背壁と側壁とにそれぞれ排出口１０７を開口する場合には、流下口１０６から流れ出た洗浄水を効果的に排水できるうえ、洗浄後にいずれか一方の排出口１０７が下向きになる状態で、電気かみそりを放置し乾燥することにより、ヘッドユニット１１から流れ出た洗浄水を確実に排出できる。
【００４７】
底端壁３０の内底面３０ａを一側から他側へ向って下り傾斜させ、その傾斜下端寄りに流下口１０６を開口した電気かみそりによれば、本体を立てかけた状態で、伝動機構１７を収容する室２８に入り込んだ洗浄水を流下口１０６から確実に流下排出して、室２８および側室２７内に洗浄水が滞留するのを確実に防止できる。
【００４８】
シャシーユニット１０の側に安全スイッチ５７を設け、この安全スイッチ５７を外刃ホルダー４７の着脱に連動してオン・オフに切り換える電気かみそりによれば、外刃ホルダー４７を取り外した状態では、安全スイッチ５７をオフ状態に切り換えてモータ１２への通電を阻止できるので、外刃ホルダー４７を外して、内刃１５が剥き出しになった状態でもモータ１２が起動されるのを確実に防止して、水洗い作業を安全に行える
【図面の簡単な説明】
【図１】電気かみそりのシール構造と排水構造を示す概略縦断正面図である。
【図２】電気かみそりのシール構造と排水構造を示す概略縦断側面図である。
【図３】電気かみそりの斜視である。
【図４】外刃ホルダーと首振りユニットとを分解した状態での斜視図である。
【図５】かみそりユニットと本体ケースとを分解した状態での斜視図である。
【図６】かみそりユニットの分解図である。
【図７】動力伝動機構を示す説明図である。
【図８】首振りユニットを分解した状態での斜視図である。
【図９】防水シールとその装着部の構造を示す斜視図である。
【図１０】ヘッドユニットとシャーシユニットとを分解した斜視図である。
【図１１】首振りユニットの分解斜視図である。
【図１２】ヘッドユニットの縦断側面図である。
【図１３】首振りロック機構を示す縦断側面図である。
【図１４】安全スイッチとその操作機構を示す説明図である。
【図１５】外刃ホルダーのロック機構の内部平面図である。
【図１６】モータ軸防水シールの断面図である。
【図１７】防水シールの断面図である。
【図１８】かみそりユニットと本体ケースとの組み付け構造を示す縦断正面図である。
【図１９】本体ケース１の下部構造を示す縦断正面図である。
【図２０】ガス抜き構造を示す断面図である。
【図２１】かみそりユニットと本体ケースとの組み付け構造を示す縦断側面図である。
【図２２】洗浄ケースの断面図である。
【図２３】充電器の説明図である。
【図２４】きわ剃り刃用の振動子とヘッドレームの関係構造を示す縦断側面図である。
【符号の説明】
１  本体ケース
２  組付口
３  かみそりユニット
１０  シャシーユニット
１１  ヘッドユニット
１２  モータ
１３  電池
１４  回路基板
１５  内刃
１６  外刃
１７  伝動機構
２８  室
３０  底端壁
７０  モータ軸防水シール
７１  防水シール
１０６  流下口
１０７  排出口
【図１】
0004247802.tif 000002
【図２】
0004247802.tif 000003
【図３】
0004247802.tif 000004
【図４】
0004247802.tif 000005
【図５】
0004247802.tif 000006
【図６】
0004247802.tif 000007
【図７】
0004247802.tif 000008
【図８】
0004247802.tif 000009
【図９】
0004247802.tif 000010
【図１０】
0004247802.tif 000011
【図１１】
0004247802.tif 000012
【図１２】
0004247802.tif 000013
【図１３】
0004247802.tif 000014
【図１４】
0004247802.tif 000015
【図１５】
0004247802.tif 000016
【図１６】
0004247802.tif 000017
【図１７】
0004247802.tif 000018
【図１８】
0004247802.tif 000019
【図１９】
0004247802.tif 000020
【図２０】
0004247802.tif 000021
【図２１】
0004247802.tif 000022
【図２２】
0004247802.tif 000023
【図２３】
0004247802.tif 000024
【図２４】
0004247802.tif 000025